(57)【要約】      （修正有）【課題】ポスターを低価格もしくは無料で消費者に提供することができるとともに、広告対象者を絞った広告宣伝が可能な広告宣伝媒体を広告依頼者に提供する。【解決手段】ポスターの裏面に広告を掲載することで、ポスターの実用時に広告表示がまったく見えないため、装飾品としての機能を確実に果たし、商品性を損ねることがない。また、受注の際、両面テープを提供することによって、実用の際にポスター裏面に両面テープを貼付する工程、さらにその両面テープの剥離紙を剥がす工程が発生し、裏面に表示された広告宣伝を消費者に対し、一定時間を確実に対面させることができる。さらにポスターの代金の一部または全部を広告依頼者が負担することで、ポスターの制作費を賄え、販売価格を無料もしくはきわめて低く提供できる広告宣伝媒体である。【選択図】図２
2009093130.tif 000002
【特許請求の範囲】
【請求項１】
広告付きポスターの制作方法及び消費者と広告依頼者双方に対するサービスの提供方法に係り、インターネットのショッピングサイトなどを通じて、広告付きポスターの注文を受け付け、前記ポスターを制作する方法において、
（ａ）  前記ショッピングサイトなどを利用して、広告付きポスターを注文した消費者に関連する消費者情報を入力する工程と、
（ｂ）  広告依頼者から広告対象者の要望に関連した広告対象者情報に基づいて広告データベースで管理された広告のうちから、前記入力した消費者情報に適合する広告を検索する工程と、
（ｃ）  消費者が注文した広告付きポスターの著作物を印刷すると共に、前記（ｂ）で検索した広告をポスターの裏面に印刷し、もしくは貼り付けてポスターを制作することを特徴とする広告付きポスターの制作方法。
【請求項２】
請求項１に記載された広告付きポスターの制作方法によって制作された広告付きポスターを消費者に提供する際、前記広告付きポスターの代金の一部または全部を前記広告依頼者が負担することを特徴とする消費者と広告依頼者双方に対するサービスの提供方法。
【請求項３】
請求項１〜２のいずれかに記載の広告付きポスターの貼付方法は両面テープとし、壁に直接貼付または、額装時のパネルボードへの固定の際、ポスター裏面に両面テープを貼付する工程、さらにその両面テープの剥離紙を剥がす工程が発生することによって、その裏面に表示された広告宣伝を消費者に対し、一定時間を確実に対面させることを特徴とする消費者と広告依頼者双方に対するサービスの提供方法。
【発明の詳細な説明】
【発明の詳細な説明】
【技術分野】
【０００１】  本発明は広告付きポスターの制作方法及び消費者と広告依頼者双方に対するサービスの提供方法に関する。
【背景技術】
【０００２】    絵画や写真、またはリトグラフやイラストなどのアート作品はホテルやレストランの公共施設の空間演出として使われるほか、一般住宅においても部屋のアクセントとして飾られ、昨今では医療、介護の現場等にも患者の緊張や不安を和らげる効果に注目し、積極的にアート作品が飾られている。【０００３】  これらのアート作品を大量に印刷し、手軽に楽しめる手段としてポスターがあるが、ポスター（貼り紙）という特性上、実用時において全く隠れてしまう裏面に広告宣伝を掲載する概念は公知に存在していない。【０００４】  また、従来より広告宣伝媒体としては、種々のものが開発され、提案されている。例えば、新聞、雑誌等の広告欄に商品や案内を広告宣伝、あるいは、商品や案内に関するチラシ、カタログ等を作成し、不特定多数の人に配布し、そこに掲載されている商品や案内を広く知らせて、人々の関心を引いて広告宣伝を行う方法がある。【０００５】  さらに、ラジオ、テレビ、インターネット、屋外看板等を利用し、音声、画像、動画等を通して視覚や聴覚に訴えることにより、商品や案内を広告宣伝する方法も広く行われている。【０００６】  しかし、上記のような従来の広告宣伝媒体による広告宣伝は、不特定多数の人に向かって商品や案内を広告宣伝するものであり、近年、消費者は広告宣伝の氾濫による喧騒等に嫌悪感を持つようになっており、商品や案内の広告宣伝は、見たり、聴いたりすることを意識、無意識的に忌避し、チラシ、カタログ等に至っては、見ないで、そのまま捨ててしまうのが実状であり、有効な広告効果を得るに至っていない。【０００７】  また、公知においてはいわゆる０円サービスとして、写真プリントの一部に広告を掲載し、無料で提供する会員限定の広告付き写真プリントサービスや大学構内に無料コピー機を設置し、コピー用紙の片面に学生向けの広告を掲載するといった手法も行われている。しかし、自社サービスの効果的な広告宣伝方法を常に模索している多くの企業にとっては、依然として新たな効果的な広告媒体の発生は歓迎されるべきである。
【発明が解決しようとする課題】
【０００８】  一方、前期の何れの広告宣伝方法にしても、宣伝広告媒体に求める概念としては、消費者に対して、いかに多く、また、大きく露出させるが目的であり、宣伝広告媒体へ対面させる動機や時間的な拘束力がなく、そのため、多量のＴＶＣＭを流したり、全国紙の一面広告に掲載しても、それが広告宣伝と判断された瞬間に忌避されることがよくある。
【０００９】  また前記の無料写真プリントサービスやノベルティグッズ、また、インターネットバナー広告のように、その実用時に宣伝広告が目に付くものは、相対的に広告宣伝表示部が小さくなるばかりか、媒体の情報や意匠に干渉し、妨げとなるため、媒体そのもの利用価値が下がることもある。
【００１０】  本発明はこのような事情に鑑みてなされたもので、ポスターを壁などに貼り付ける実用の際の工程に着目し、消費者に対し、確実に一定の時間を広告宣伝と対面させ、またポスター消費者の購入費用を軽減するとともに、広告依頼者にとって効率のいい広告宣伝を行うことができる広告付きポスターの制作方法及び消費者と広告依頼者双方に対するサービスの提供方法を提供することを目的とする。
【課題を解決するための手段】
【００１１】  前記目的を達成するために請求項１に係る発明は、広告付きポスターの制作方法及び消費者と広告依頼者双方に対するサービスの提供方法に係り、インターネットのショッピングサイトなどを通じて、ポスターの注文を受け付け、前記ポスターを制作する方法において、
（ａ）前記ショッピングサイトなどを利用して、広告付きポスターを注文した消費者に関連する消費者情報を入力する工程と、
（ｂ）広告依頼者から広告対象者の要望に関連した広告対象者情報に基づいて、広告データベースで管理された広告から前記入力した消費者情報に適合する広告を検索する工程と、
（ｄ）注文された広告付きポスターの著作物を印刷すると共に、前記（ｂ）で検索した広告をポスターの裏面に印刷し、または貼り付けてポスターを制作することを特徴としている。
【００１２】  即ち、消費者が広告付きポスター注文をした際、広告依頼者から提供された広告がポスターの裏側に印刷されるようにしている。
ここで、広告依頼者の広告は、任意の消費者のポスターに印刷されるのではなく、広告依頼者が要望した広告対象者のポスターに印刷される仕組みになっている。
【００１３】  即ち、広告対象者情報と、その広告依頼者の広告データベースを管理しておき、一方ショッピングサイトなどを利用して広告付きポスターを注文した消費者に関連する消費者情報とのマッチングをとることにより前記広告データベースからその消費者に適合する広告を検索する。
このように検索された広告を、消費者の注文したポスターの裏面に印刷、もしくは貼り付けるようにしている。これにより、広告依頼者は広告対象者を絞った効率のよい広告を行うことができ、また、消費者は広告付きポスターの実用の際は広告表示がまったく見えないため、装飾品としての商品性を損ねることがない。
【００１４】  請求項２に示すよう前記広告付きポスター消費者に対し、広告付きポスターの代金の一部または全部を前記広告依頼者が負担することを特徴としている。
請求項３に係る発明は広告付きポスターの貼付方法は両面テープとすることで、壁に直接貼付または、額装時のパネルボードへの固定の際、ポスター裏面に両面テープを貼付する工程、さらにその両面テープの剥離紙を剥がす工程が発生することによって、その裏面に表示された広告宣伝を消費者に対し、一定時間を確実に対面させることを特徴とさせている。
【００１５】  尚、広告依頼者が負担する広告料金は広告の大きさが大きい程高く設定されている。また、消費者は広告付きポスター以外のポスターも選択することができるのは言うまでもなく、この場合のポスターに対する料金は消費者が全額負担することになる。
【発明を実施するための最良の形態】
【００１６】  以下、貼付図面に従って本発明に係る広告付きポスターの制作方法および消費者と広告依頼者双方に対するサービスの提供方法の好ましい実施の形態ついて解説する。【００１７】  本発明に係る広告付きポスターは絵画や写真、イラストなどの著作物が印刷され、また、この面を本発明において広告付きポスターの表面を意味し、それとは反対の面を裏面というものとする。【００１８】  次に広告付きポスターの裏面に広告を印刷する方法について説明する。
如何なる方法、順序で裏面に広告を印刷してよい。好ましい方法として、インクジェット、レーザープリントその他の方法が挙げられる。また、既に広告が印刷された紙または著作物が印刷された紙を利用するか、広告が印刷された別の紙を貼り付けてもよい。【００１９】  さらに、ポスターを貼り付ける方法を両面テープとし、広告付きポスターの注文時には必ず両面テープを同梱する。剥がす際にも壁を傷めないことを付加価値にしているポスター用の両面テープが公知において存在しており、この発明に適した商品といえる。【００２０】  広告料金はいかなる方法で設定してもよい。たとえばポスターサイズ。ポスター中の広告部分の面積割合、ポスター部数等をもとに一定の広告料の提供基準を決めておき、特定のポスターサイズにおける広告依頼者が占める部数、大きさの割合に応じた広告料を契約で設定する方法が好ましい。【００２１】  このような価格設定により資本力のある大企業から、地域の零細企業または、小売店までもが、予算に応じた規模でポスター広告が行え、広告依頼者の経済的規模で利用ができる優れた広告媒体になりうる。この点はマス媒体ではなし得ない本発明に係る広告媒体の利点のひとつである。もちろん広告料はこれ以外のいかなる基準によっても、お互いに契約で任意に設定してもよい。【００２２】  広告依頼はいかなる方法を利用してもよい。たとえば広告依頼者から直接受注してもよいし、広告代理店を通して広告依頼を受け付けてもよい。
広告の制作は如何なる者が如何なる方法で行ってもよい。好ましくは広告依頼者、広告代理店、広告制作企業である。【００２３】  広告の作成方法として好ましくは、コンピュータの画像編集ソフトで制作することが挙げられる。コンピュータで作成されたデジタルの広告データの処理はそのポスター印刷に適した方法で選択するのが好ましい。【００２４】  当然のことながら、本発明に係るサービスの提供方法の取り扱うことのできる広告依頼者の種類は、いかなる業種の法人、いかなる団体、又はいかなる個人でも良く、その対象も製造業の製品、サービス業のサービス、又は求人広告等いかなる種類の広告でもよい。【００２５】  また、特定の広告若しくは特定の広告依頼者の広告に対しては、消費者の個人情報を利用することが好ましい。消費者の個人情報としてはいかなるものでもよいが、性別、年齢、家族構成、職種、地域、趣味などの個人情報が好ましい。特に好ましくは、年齢、性別、家族構成などである。但し、これらの個人情報は消費者が広告付きポスターの注文時に受注管理者が使用目的を告げた上で、消費者自らが開示した情報でなければならない。【００２６】  この際、広告付きポスター受注業者は消費者情報の取り扱いには細心の注意が必要である。消費者の情報は広告付きポスターの対象を絞る目的及び消費者自身の利益のためのみに利用する必要がある。【００２７】  個人情報は受注の際など、インターネットの注文サイト上で入力してもらってもよい。一般に、インターネットを介してショッピングページで注文する場合には、その利用に際してユーザ登録をしてもらい、ユーザＩＤとパスワードが発行され、その後、ユーザＩＤとパスワードで受注サイトにログインして注文ができるようになっているが、前記ユーザ登録した消費者の個人情報を、その消費者に適合する広告を選択するための情報として利用することができる。【００２８】  このような消費者の個人情報をもとにして、広告依頼者とポスター販売業者が契約により、ある特定の範囲の消費者のポスターに対してのみ、広告を掲載するという方法を採るようにしている。個人情報を利用した広告掲載範囲の設定の仕方はいかなる方法でもよい。ある広告依頼主は２０代の女性消費者のみに広告を掲載することを契約内容にしても構わないし、１つの広告主が複数の広告を掲載する場合でも、広告ごとに異なる年齢層、性別などに限って広告を掲載しても構わない。
また、個人情報とそこに掲載する広告とのマッチングは、コンピュータ上で行うことが好ましい。
【実施例】
【００２９】  次に、本発明に係る広告付きポスターの制作方法及び消費者と広告依頼者双方に対するサービスの提供方法（以上をまとめて、以下広告付きポスターと呼ぶ）について実施例によって更に詳しく説明する。しかし、本発明はこれらに限定されるものではない。【００３０】  本発明による広告付きポスターの一つの実施の形態を、図１のブロック図を使って説明する。【００３１】  広告依頼者１から入稿された広告データ１０は広告付きポスター事業者４の有するホストコンピュータ５の広告ＤＢ６内に保存され、複数の広告依頼者と広告付きポスター事業者４との間の契約に沿った形で消費者２の個人情報（消費者情報１２０）に基づいて消費者ＤＢ８より取り出せるように管理される。即ち、前記広告ＤＢ６には、広告依頼者１が要望する広告対象者を選択するための広告対象者情報１２２（消費者の個人情報に相当する情報）が各広告に関連づけられて登録されている。【００３２】  クリエーター３は広告付きポスター事業者４との間の契約に沿った形でポスターＤＢ７に自己の著作物データ１５を登録する。
一方、消費者２は広告付きポスター事業者４のポスターショッピングページ９にて希望する広告付きポスターを注文する際にアンケートフォームなどの形で消費者情報１２０を消費者自身に入力してもらい、消費者の個人情報（消費者情報１２０）が入力され、ホストコンピュータ５内の消費者ＤＢ８に格納される。また、既に手続きが完了している消費者１２１の場合には、ログインページ１１でＩＤおよびパスワードを入力しログインすることで、サービスの提供を受けられるようになっている。【００３３】  消費者２が注文した広告付きポスター１６はポスターＤＢ７よりその著作物の印刷データ１２３が受注ＤＢ１２に読み込まれ、その際、消費者２の選択により広告付ポスターを希望する場合には、ホストコンピュータ５は、消費者情報１２０で入力された消費者情報をもとに広告ＤＢ６で管理きれた広告データのうちから、その消費者にふさわしい広告データ１２４を選び出す。【００３４】  この広告データ１２４も受注ＤＢ１２に読み込まれ、広告データ１２４と注文されたポスター印刷データ１２３の両方のデータ１３が広告付きポスター事業者４内に設置されたプリンター１４によって印刷され、広告付きポスター１６は、消費者２に無料または低価格で提供され、注文完了後にはポスター事業者４との間の契約に沿った形でクリエータ３に所定のロイヤリティ１７が支払われる。【００３５】  広告データ１０および著作物データ１５はコンピュータネットワークを通じて、それぞれ広告ＤＢ６、ポスターＤＢ７に提供されることが好ましい。前記したコンピュータネットワークは、電話回線、光通信回線などの通信網を利用したインターネットやローカル・エリア・ネットワーク（ＬＡＮ）など、双方で情報がやり取りできるものであって、既存のものを利用したり、新たに構築したりしてもよい。【００３６】  なお、広告付きポスター１６には、付属品として両面テープ１８が添付される。
両面テープは表面にテープが見えることがなく、また、ノリのように塗布した紙面がふやけることもないので、壁にポスターを貼る際に綺麗に仕上がる。さらに公知おいて発売されているポスター専用の両面テープはポスターを剥がす際に壁などの接着場所を傷めず、本発明の広告付きポスターの添付品として選択することが好ましい。【００３７】  図２（Ａ）および（Ｂ）はそれぞれＡ４サイズとＡ３サイズの広告付きポスター用紙の裏面で、両面テープを貼付する推奨場所の４箇所および６箇所である。【００３８】  消費者２が購入した広告付きポスター１６を実用するにあたり、装飾先の壁に直接貼付、または、額装時のパネルボードへ貼付する際、広告付きポスター１６に添付された両面テープの一方の剥離紙を剥がし、図２で示すポスターの４箇所または６箇所に貼り付ける。次に、もう一方の剥離紙を剥がして貼付作業を行うが、これまでの作業の間、消費者はポスター裏面の広告宣伝と対面することとなる。
【発明の効果】
【００３９】  以上、説明したように本発明の広告付きポスターは裏面に広告を掲載することで、ポスターを設置する際、広告表示がまったく見えないため、装飾品としての機能を確実に果たし、商品性を損ねることがない。
また、ポスターの貼り付け方法を両面テープとすることによってポスター裏面に両面テープを貼付する工程、さらにその両面テープの剥離紙を剥がす工程が発生し、裏面に表示された広告宣伝を消費者に対し、一定時間を確実に対面させることができる。
【００４０】  さらに、ポスターの代金の一部、または全部を広告依頼者が負担することで、ポスターの制作費を賄え、販売価格を無料もしくはきわめて低く提供できるため、クリエーターの参加が容易となり広告付きポスター事業者の販売サイトを通じて多数決を原則とする作品評価が得られるシステムが確立する。
【００４１】  結果、才能あるクリエーターの機会創出となり、多くの作品が精力的に創作され、ポスター市場が活性化し、流通量が増え、相乗的に広告依頼者にとっても属性をしぼった高い広告効果が得られることとなる。
【図面の簡単な説明】
【００４２】
【図１】広告付きポスターの制作方法及び消費者と広告依頼者双方に対するサービスの提供方法のブロック図である。
【図２】本発明に係る広告付きポスターの両面テープの位置を例示する説明図である。
【図１】
2009093130.tif 000003
【図２】
2009093130.tif 000004